【事件の表示】
　特願２０１５−５２６５４１「電子装置ハウジング及び組み立て方法」拒絶査定不服審判事件〔平成２６年　２月１３日国際公開、ＷＯ２０１４／０２５４８８、平成２７年１０月　８日国内公表、特表２０１５−５２９９０６、請求項の数（２４）〕について、次のとおり審決する。
【結　論】
　原査定を取り消す。
　本願の発明は、特許すべきものとする。
【理　由】
第１　手続の経緯　
　本願は、２０１３年７月１２日を国際出願日とする出願（パリ条約による優先権主張外国庁受理２０１３年３月１３日、米国、２０１２年８月８日、米国）であって、平成２７年６月３０日付けで拒絶理由が通知され、平成２７年１０月７日付けで手続補正がされ、平成２７年１１月９日付けで拒絶査定（以下、「原査定」という）がされ、これに対し、平成２８年３月１６日に拒絶査定不服審判が請求され、同時に手続補正がされ、平成２８年１０月２７日付けで拒絶理由（以下、「当審拒絶理由」という。）が通知され、平成２９年１月３０日付けで手続補正がされたものである。
第２　原査定の概要
　原査定（平成２７年１１月９日付け拒絶査定）の概要は次のとおりである。
　本願請求項１−３、５−６、８−２５に係る発明は、以下の引用文献Ａ−Ｄに基づいて、その発明の属する技術の分野における通常の知識を有する者（以下、「当業者」という。）が容易に発明をすることができたものであり、特許法第２９条第２項の規定により特許を受けることができない。
引用文献等一覧
　Ａ．米国特許出願公開第２００２／０００６０３１号明細書
　Ｂ．米国特許出願公開第２００３／０１００２７５号明細書
　Ｃ．特開２００９−８０８００号公報（周知技術を示す文献）
　Ｄ．特開平８−２６４９８０号公報（周知技術を示す文献）
第３　当審拒絶理由通知の概要
　当審拒絶理由通知の概要は次のとおりである。
　本願請求項１−３、５−６、８−２５に係る発明は、以下の引用文献１−３に基づいて、その発明の属する技術の分野における通常の知識を有する者（以下、「当業者」という。）が容易に発明をすることができたものであり、特許法第２９条第２項の規定により特許を受けることができない。
引用文献等一覧
　１．米国特許出願公開第２０１２／００９２８２１号明細書（当審において新たに引用した文献）
　２．米国特許出願公開第２０１１／００５１３６０号明細書（当審において新たに引用した文献）
　３．米国特許出願公開第２００２／０００６０３１号明細書（拒絶査定時の引用文献Ａ）
第４　本願発明
　本願の請求項１−２４に係る発明（以下、それぞれ「本願発明１」−「本願発明２４」という。）は、平成２９年１月３０日付けの手続補正で補正された特許請求の範囲の請求項１−２４に記載された事項により特定される発明であり、本願発明１−２４は以下のとおりの発明である。
「【請求項１】
　素材を一体成形した第１のハウジングであって、該第１のハウジングには、
　お互いに平行な上壁及び下壁であって、該下壁は該上壁と向き合っていることを特徴とする上壁及び下壁と、
　前記上壁と前記下壁との間に、全体的に垂直に伸びる前壁と、
　前記上壁と前記下壁との間に、全体的に垂直に伸びる少なくとも２枚の側壁と、
　が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定することを特徴とする、
　第１のハウジングと、
　前記上壁、前記下壁、前記前壁、及び、１つの前記側壁のうちの少なくとも１つと隣接して、前記第１のハウジングの内部にある少なくとも１つの支持部材と、
　前記第１のハウジングの内部に収納された少なくとも１つの電子部品と、
　前記第１のハウジングの前記開放端を覆って取り外し可能に取り付けられた第１のカバーと、
　を具備し、
　少なくとも１つの前記支持部材及び前記第１のカバーは、前記第１のハウジングの内部にある少なくとも１つの電子部品が、前記第１のカバーと前記前壁との間で連続して接するように、前記第１のハウジングの内部にある少なくとも１つの電子部品に保持力を加える役割を果たし、
　前記第１のハウジングは、ポータブル・コンピュータのベース・アセンブリーのためのベース・ハウジングであり、前記第１のカバーは、ヒンジ部の第１の部分であり、前記電子装置には、前記ヒンジ部により、前記ベース・ハウジングと操作可能に結合した蓋部アセンブリーがさらに含まれ、
　前記ヒンジ部の第１の部分は、熱伝導性のある材料でつくられ、前記第１のハウジングの前記開放端に伸び、前記電子部品からの熱が前記ヒンジ部の第１の部分に伝わるように前記電子部品に隣接して配置されていて、前記第１のハウジングの前記開放端は、前記上壁と前記下壁のうちの１つの一部に沿って広がっている、電子装置。
　【請求項２】
　素材を一体成形した第１のハウジングであって、該第１のハウジングには、
　お互いに平行な上壁及び下壁であって、該下壁は該上壁と向き合っていることを特徴とする上壁及び下壁と、
　前記上壁と前記下壁との間に、全体的に垂直に伸びる前壁と、
　前記上壁と前記下壁との間に、全体的に垂直に伸びる少なくとも２枚の側壁と、
　が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定することを特徴とする、
　第１のハウジングと、
　前記上壁、前記下壁、前記前壁、及び、１つの前記側壁のうちの少なくとも１つと隣接して、前記第１のハウジングの内部にある少なくとも１つの支持部材と、
　前記第１のハウジングの内部に収納された少なくとも１つの電子部品と、
　前記第１のハウジングの前記開放端を覆って取り外し可能に取り付けられた第１のカバーと、
　を具備し、
　少なくとも１つの前記支持部材及び前記第１のカバーは、前記第１のハウジングの内部にある少なくとも１つの電子部品が、前記第１のカバーと前記前壁との間で連続して接するように、前記第１のハウジングの内部にある少なくとも１つの電子部品に保持力を加える役割を果たし、
　前記第１のハウジングの前記上壁及び前記下壁には、開口が含まれ、前記電子装置には、複数のキーを有するキーボード・アセンブリーがさらに含まれ、該キーボード・アセンブリーは前記開口に取り外し可能に受け入れられ、
　前記キーボード・アセンブリーは、第１の傾斜面を画定し、前記電子装置には、第２の傾斜面を画定する第２の電子部品を含めることができ、前記第１の傾斜面及び前記第２の傾斜面は、前記キーボード・アセンブリーが前記開口内に受け入れられたとき相互に接触し、前記上壁及び前記下壁のうちの１つに向かって前記第２の電子部品を動かすように前記第２の電子部品に前記キーボード・アセンブリーが力を及ぼすよう構成されている、電子装置。
　【請求項３】
　・・・を特徴とする、請求項１または２に記載の電子装置。
　【請求項４】
　・・・を特徴とする、請求項２に記載の電子装置。
　【請求項５】
　・・・を特徴とする、請求項１または２に記載の電子装置。
　【請求項６】
　・・・を特徴とする、請求項１または２に記載の電子装置。
　【請求項７】
　・・・が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定し、前記第１のハウジングにはさらに、前記第１のハウジングの内部に、前記上壁、前記下壁、前記前壁、及び前記側壁のうちの１つ、のうちの少なくとも１つから伸びる少なくとも１つ支持部材が含まれることを特徴とする、
　・・・（中略）・・・
　前記第１のハウジングは、ポータブル・コンピュータのベース・アセンブリーのためのベース・ハウジングであり、前記第１のカバーは、ヒンジ部の第１の部分であり、前記電子装置には、前記ヒンジ部により、前記ベース・ハウジングと操作可能に結合した蓋部アセンブリーがさらに含まれ、
　前記ヒンジ部の第１の部分は、熱伝導性のある材料でつくられ、前記第１のハウジングの前記開放端に伸び、前記電子部品からの熱が前記ヒンジ部の第１の部分に伝わるように前記電子部品に隣接して配置されていて、前記第１のハウジングの前記開放端は、前記上壁と前記下壁のうちの１つの一部に沿って広がっている、電子装置。
　【請求項８】
　・・・が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定し、前記第１のハウジングにはさらに、前記第１のハウジングの内部に、前記上壁、前記下壁、前記前壁、及び前記側壁のうちの１つ、のうちの少なくとも１つから伸びる少なくとも１つ支持部材が含まれることを特徴とする、
　・・・（中略）・・・
　前記第１のハウジングの前記上壁及び前記下壁には、開口が含まれ、前記電子装置には、複数のキーを有するキーボード・アセンブリーがさらに含まれ、該キーボード・アセンブリーは前記開口に取り外し可能に受け入れられ、
　前記キーボード・アセンブリーは、第１の傾斜面を画定し、前記電子装置には、第２の傾斜面を画定する第２の電子部品を含めることができ、前記第１の傾斜面及び前記第２の傾斜面は、前記キーボード・アセンブリーが前記開口内に受け入れられたとき相互に接触し、前記上壁及び前記下壁のうちの１つに向かって前記第２の電子部品を動かすように前記第２の電子部品に前記キーボード・アセンブリーが力を及ぼすよう構成されている、電子装置。
　【請求項９】
　・・・を特徴とする、請求項７または８に記載の電子装置。
　【請求項１０】
　・・・を特徴とする、請求項９に記載の電子装置。
　【請求項１１】
　・・・を特徴とする、請求項９に記載の電子装置。
　【請求項１２】
　・・・を特徴とする、請求項１１に記載の電子装置。
　【請求項１３】
　・・・を特徴とする、請求項７または８に記載の電子装置。
　【請求項１４】
　・・・を特徴とする、請求項１３に記載の電子装置。
　【請求項１５】
　・・・を特徴とする、請求項１３に記載の電子装置。
　【請求項１６】
　・・・を特徴とする、
　第１のハウジングと、
　前記上壁、前記下壁、前記前壁、及び、１つの前記側壁のうちの少なくとも１つと隣接して、前記第１のハウジングの内部に固定したフレーム・エレメントであって、該フレーム・エレメントは少なくとも１つの支持部材を画定することを特徴とする、フレーム・エレメントと、
　・・・（中略）・・・
　前記第１のハウジングは、ポータブル・コンピュータのベース・アセンブリーのためのベース・ハウジングであり、前記第１のカバーは、ヒンジ部の第１の部分であり、前記電子装置には、前記ヒンジ部により、前記ベース・ハウジングと操作可能に結合した蓋部アセンブリーがさらに含まれ、
　前記ヒンジ部の第１の部分は、熱伝導性のある材料でつくられ、前記第１のハウジングの前記開放端に伸び、前記電子部品からの熱が前記ヒンジ部の第１の部分に伝わるように前記電子部品に隣接して配置されていて、前記第１のハウジングの前記開放端は、前記上壁と前記下壁のうちの１つの一部に沿って広がっている、電子装置。
　【請求項１７】
　・・・を特徴とする、
　第１のハウジングと、
　前記上壁、前記下壁、前記前壁、及び、１つの前記側壁のうちの少なくとも１つと隣接して、前記第１のハウジングの内部に固定したフレーム・エレメントであって、該フレーム・エレメントは少なくとも１つの支持部材を画定することを特徴とする、フレーム・エレメントと、
　・・・（中略）・・・
　前記第１のハウジングの前記上壁及び前記下壁には、開口が含まれ、前記電子装置には、複数のキーを有するキーボード・アセンブリーがさらに含まれ、該キーボード・アセンブリーは前記開口に取り外し可能に受け入れられ、
　前記キーボード・アセンブリーは、第１の傾斜面を画定し、前記電子装置には、第２の傾斜面を画定する第２の電子部品を含めることができ、前記第１の傾斜面及び前記第２の傾斜面は、前記キーボード・アセンブリーが前記開口内に受け入れられたとき相互に接触し、前記上壁及び前記下壁のうちの１つに向かって前記第２の電子部品を動かすように前記第２の電子部品に前記キーボード・アセンブリーが力を及ぼすよう構成されている、電子装置。
　【請求項１８】
　・・・を特徴とする、請求項１６または１７に記載の電子装置。
　【請求項１９】
　・・・を特徴とする、請求項１６または１７に記載の電子装置。
　【請求項２０】
　・・・を特徴とする、請求項１６または１７に記載の電子装置。
　【請求項２１】
　・・・を特徴とする、請求項２０に記載の電子装置。
　【請求項２２】
　・・・を特徴とする、請求項１６または１７に記載の電子装置。
　【請求項２３】
　・・・を特徴とする、請求項１６または１７に記載の電子装置。
　【請求項２４】
　・・・を特徴とする、請求項１６または１７に記載の電子装置。」　
第５　引用文献、引用発明等
１．引用文献１について
　当審拒絶理由に引用された引用文献１（米国特許出願公開第２０１２／００９２８２１号明細書。訳文は、パテントファミリ文献である特表２０１３−５０８８１８号公報を参照して当審訳。以下同様。）には、図面（特に、Ｆｉｇ．６−１２）とともに次の事項が記載されている（下線は重要箇所に対して当審が付与した。以下、同様。）。
（１）　段落［００１９］−［００２０］（訳文は、段落【０００７】〜【０００８】）
「SUMMARY OF THE DESCRIBED EMBODIMENTS 
This paper describes various embodiments that relate to systems, methods, and apparatus for providing a lightweight, visually seamless housing suitable for use in portable computing applications.
A computing device is disclosed. The computing device includes at least a single piece, seamless housing formed of a lightweight, flexible material. The seamless housing includes a top portion on which is located at least one user interface and a body portion integrally formed with the top portion. The computing device also includes a movable top cover pivotally connected to the single piece seamless housing. In the described embodiment, the movable top cover and the seamless housing are shaped to create an appearance of a single continuous shape when the movable top cover is closed and in contact with the top portion.」
（【発明の概要】
　本明細書は、ポータブルコンピューティングデバイスへの適用に好適な、軽量で外観上継目のないハウジングを提供するシステム、方法及び装置に関する種々の実施形態を説明する。
　１つのコンピューティングデバイスが開示される。コンピューティングデバイスは、軽量で可撓性の材料から形成された一体形で継目のないハウジングを少なくとも含んでいる。
継目のないハウジングは、少なくとも１つのユーザインタフェースが配置される上面部と、上面部と一体成形された本体部とを含む
（２）　段落［００５７］（訳文は、段落【００４４】）
「FIG. 3 shows an embodiment of housing 100 having body 104 and integrally formed top portion 116 forming enclosure 118 suitable for accommodating a computer assembly. The computer assembly can correspond to operational components adapted for a laptop computer or other portable computing device. In the context of a laptop computer, as shown in FIG. 4, movable lid 120 can be pivotally attached to enclosure 118 by pivoting connectors 122. In this way, top surface 124 of enclosure 118 can be viewed when lid 120 is in an open state (revealing features on top surface 124 such as a keyboard and/or touch pad) and hidden from view when lid 120 is in a closed state. In the embodiment shown, lid 120 can include load transferring inner frame 126 that can support cosmetic exterior 128. Inner frame 126 can be particularly useful in those situations where lid 120 incorporates a display device such as an LED, LCD, etc. By being mechanically connected to inner layer 106, any load at lid 120 (such as opening or closing lid 120 in relation to enclosure 118) can be transferred along load path 112 from lid 120 to structural support layer 102 without substantially loading outer layer 108.」
（図３は、コンピュータアセンブリを収納するのに適した、
本体１０４と、本体と一体成形されて筐体１１８を形成する上面部１１６とからなる、ハウジング１００
ポータブルコンピューティングデバイス
ラップトップコンピュータの場合は、筐体１１８に、可動蓋１２０が回動コネクタ１２２により回動可能に結合され
これによって、蓋１２０を開ければ（キーボード及び／又はタッチパッドなどの上面１２４の機能が見える状態では）、筐体１１８の上面１２４が見えるが、蓋１２０を閉じれば上面１２４が見えなくな
蓋１２０がＬＥＤ、ＬＣＤなどの表示部を含
蓋１２０を内側層１０６に機械的に結合することにより、（例えば、筐体１１８に対して蓋１２０を開閉した場合に）蓋１２０に加わる全荷重を、外側層１０８に実質的に荷重を与えずに、蓋１２０から荷重経路１１２沿いに構造支持層１０２へと伝えられ
（３）　段落［００７１］−［００７２］（訳文は、段落【００５８】−【００５９】）
「FIGS. 11-12 show various views of portable computing system 200. More specifically, FIG. 11 shows portable computing system 200 oriented along the lines shown in FIG. 6 revealing the layout of various operational and structural components and their relationship to each other. Accordingly, non-load bearing component 148 can take the form of hard disc drive (HDD) 1102 connected to outer layer 202 by way of attachment feature 144. Attachment feature 144 can be coupled to load bearing component 150 by way of bridge structure 146. In the described embodiment load bearing component 150 can take the form of embedded battery assembly 1104. Battery assembly 1104 can include pull tab 1106 used to assist in removing battery assembly 1104 from enclosure 118. In order to provide additional stiffness to outer layer 202, battery body 1108 (used to enclose and support battery cells associated with battery assembly 1104) can have a form and composition that can be mechanically coupled to and thereby add to the stiffness of outer layer 202. Battery body 1108 can have a shape that can conform to the shape an interior surface of body 202 presenting a tighter, more integrated fit and cleaner more appealing appearance when structural support layer 102 is removed.
At least some of holes 1110 are suitable for receiving fasteners (that correspond to connectors 142 of FIG. 6) that can connect to structural support layer 102 by way of attachment feature 1112. Battery body 1108 can include holes 1114 that can accommodate fasteners (that correspond to load transferring connectors 154 shown in FIG. 6) that can couple battery assembly 1104 to rear frame 1116. Attachment feature 1112 can also include holes 1118 arranged to accept fasteners that can secure battery assembly 1104 to inner layer 106 by way of attachment feature 1112 (along the lines of fastener 142 shown in FIG. 6). In this way, battery assembly 1104 can facilitate the transfer and distribution of load L in any spatial coordinate. For example, battery assembly 1104 can transfer load L having spatial coordinates {Lx, Ly, Lz} to structural support layer 102 (Lz), or inner layer 106 (Lx), or rear frame 1116 (Ly). ....」
「図１１及び図１２は、
ポータブルコンピューティングシステム２００
耐荷重部品１５０は埋め込みバッテリアセンブリ１１０４の形をとることができ
（バッテリアセンブリ１１０４と関連するバッテリセルを内包しかつ支持するために使用される）バッテリ本体１１０８は
バッテリ本体１１０８は
本体２０２の内面の形状に適応する形状を有
装着部材１１１２は、装着部材１１１２を介してバッテリアセンブリ１１０４を内側層１０６に固定できる締結具
を受け入れるように配置された穴１１１８を更に含
バッテリアセンブリ１１０４は、どのような空間座標であっても荷重Ｌの伝達及び分散を補助でき
（４）　Ｆｉｇ．７を参照すると、
ポータブルコンピューティングシステムの本体を構成する一体成形した筐体には、キーボード２１８及びタッチパッド２１６が配置される上壁と、下壁、前壁、左右の側壁があ
（５）　Ｆｉｇ．１２を参照すると、ポータブルコンピューティングシステムの本体を構成する一体成形した筐体には、前壁（Ｆｉｇ．１２の下側）と反対側（Ｆｉｇ．１２の下側）付近に、横長の切り欠き部があると認定できる。
　そして、この筐体の「横長の切り欠き部」に、「可動蓋１２０が回動コネクタ１２２により回動可能に結合され」ることで「蓋１２０を内側層１０６に
機械的に結合する
ＬＣＤなどの表示部
電気的にも結合
ポータブルコンピューティングシステムの本体を構成する一体成形した筐体１１８には、
前壁と反対側付近に、
開口部
がある
　そうすると、引用文献１には、以下の発明（以下、「引用発明」という。）が記載されている。
「本体１０４と、本体と一体成形されて筐体１１８を形成する上面部１１６とからなる、ハウジング１００は、
　ポータブルコンピューティングデバイスがラップトップコンピュータの場合は、筐体１１８に、可動蓋１２０が回動コネクタ１２２により回動可能に結合され、これによって、蓋１２０を開ければ（キーボード及び／又はタッチパッドなどの上面１２４の機能が見える状態では）、筐体１１８の上面１２４が見えるが、蓋１２０を閉じれば上面１２４が見えなくなり、
　蓋１２０がＬＥＤ、ＬＣＤなどの表示部を含み、
　蓋１２０を内側層１０６に機械的に結合することにより、（例えば、筐体１１８に対して蓋１２０を開閉した場合に）蓋１２０に加わる全荷重を、外側層１０８に実質的に荷重を与えずに、蓋１２０から荷重経路１１２沿いに構造支持層１０２へと伝えられ、
　耐荷重部品１５０は埋め込みバッテリアセンブリ１１０４の形をとることができ、
　（バッテリアセンブリ１１０４と関連するバッテリセルを内包しかつ支持するために使用される）バッテリ本体１１０８は、本体２０２の内面の形状に適応する形状を有し、
　装着部材１１１２は、装着部材１１１２を介してバッテリアセンブリ１１０４を内側層１０６に固定できる締結具を受け入れるように配置された穴１１１８を更に含み、
　バッテリアセンブリ１１０４は、どのような空間座標であっても荷重Ｌの伝達及び分散を補助でき、
　ポータブルコンピューティングシステム２００の本体を構成する一体成形した筐体には、タッチパッド２１６とキーボード２１８が設けられた上壁と、下壁、前壁、左右の側壁があり、
　ポータブルコンピューティングシステム２００の本体を構成する一体成形した筐体には、前壁と反対側付近に、開口部がある、
　ポータブルコンピューティングシステム。」
２．引用文献２−３について
　当審拒絶理由で引用された、引用文献２（米国特許出願公開第２０１１／００５１３６０号明細書。特に、Ｆｉｇ．１Ａ、Ｆｉｇ．３、段落［００５９］の「エンドキャップ」に関する記載を参照。）、引用文献３（米国特許出願公開第２００２／０００６０３１号明細書。Ｆｉｇ．１、段落［００１５］、［００１９］の「マウンティング・フレーム２０」に関する記載を参照。）には、それぞれ、筐体の開口部（「開放端」）を、蓋（「カバー」）によって覆う周知技術が記載されていると認定できる。
第６　当審の判断
１．本願発明１について
（１）　対比
ア．引用発明の「ポータブルコンピューティングシステム２００の本体を構成する一体成形した筐体」は、本願発明１の「素材を一体成形した第１のハウジング」に相当する。
　引用発明において「前壁と反対側付近に、開口部がある」ことは、本願発明１の「前記第１のハウジングの内部へのアクセスを可能にする開放端」があることに相当する。
　よって、引用発明の、「ポータブルコンピューティングシステム２００の本体を構成する一体成形した筐体には、タッチパッド２１６とキーボード２１８が設けられた上壁と、下壁、前壁、左右の側壁があり、ポータブルコンピューティングシステム２００の本体を構成する一体成形した筐体には、前壁と反対側付近に、開口部がある」ことは、本願発明１の「素材を一体成形した第１のハウジングであって、該第１のハウジングには、お互いに平行な上壁及び下壁であって、該下壁は該上壁と向き合っていることを特徴とする上壁及び下壁と、前記上壁と前記下壁との間に、全体的に垂直に伸びる前壁と、前記上壁と前記下壁との間に、全体的に垂直に伸びる少なくとも２枚の側壁と、が含まれ、前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定することを特徴とする、第１のハウジング」に相当するといえる。
イ．引用発明の「装着部材１１１２」（Ｆｉｇ．１１を参照。）は、「装着部材１１１２を介してバッテリアセンブリ１１０４を内側層１０６に固定できる締結具を受け入れるように配置された穴１１１８を更に含」むから、本願発明１の「前記上壁、前記下壁、前記前壁、及び、１つの前記側壁のうちの少なくとも１つと隣接して、前記第１のハウジングの内部にある少なくとも１つの支持部材」に相当する。
ウ．引用発明の「バッテリアセンブリ１１０４」は、本願発明１の「前記第１のハウジングの内部に収納された少なくとも１つの電子部品」に相当する。
エ．引用発明の「装着部材１１１２」（本願発明１の「指示部材」に相当。）が、「装着部材１１１２を介して
バッテリアセンブリ１１０４を内側層１０６に固定できる
内面の形状に適応する形状を有し
及び前記第１のカバー
前記第１のカバーと
の間で
オ．引用発明において、「
ポータブルコンピューティングデバイスがラップトップコンピュータの場
筐体１１８
可動蓋１２０
回動コネクタ１２２
前記第１のカバーは、ヒンジ部の第１の部分であり、
　したがって、本願発明１と引用発明との一致点・相違点は次のとおりである。
＜一致点＞
　素材を一体成形した第１のハウジングであって、該第１のハウジングには、
　お互いに平行な上壁及び下壁であって、該下壁は該上壁と向き合っていることを特徴とする上壁及び下壁と、
　前記上壁と前記下壁との間に、全体的に垂直に伸びる前壁と、
　前記上壁と前記下壁との間に、全体的に垂直に伸びる少なくとも２枚の側壁と、
　が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定することを特徴とする、
　第１のハウジングと、
　前記上壁、前記下壁、前記前壁、及び、１つの前記側壁のうちの少なくとも１つと隣接して、前記第１のハウジングの内部にある少なくとも１つの支持部材と、
　前記第１のハウジングの内部に収納された少なくとも１つの電子部品と、
　を具備し、
　少なくとも１つの前記支持部材は、前記第１のハウジングの内部にある少なくとも１つの電子部品が、前記前壁と連続して接するように、前記第１のハウジングの内部にある少なくとも１つの電子部品に保持力を加える役割を果たし、
　前記第１のハウジングは、ポータブル・コンピュータのベース・アセンブリーのためのベース・ハウジングであり、前記電子装置には、前記ヒンジ部により、前記ベース・ハウジングと操作可能に結合した蓋部アセンブリーがさらに含まれる、電子装置。」　
　
＜相違点１＞ 
　本願発明１では、「前記第１のハウジングの前記開放端を覆って取り外し可能に取り付けられた第１のカバー」を具備するとともに、「少なくとも１つの前記支持部材
及び前記第１のカバー
前記第１のカバーと
の間で
＜相違点２＞
　本願発明１では、「前記第１のハウジングは、ポータブル・コンピュータのベース・アセンブリーのためのベース・ハウジングであり、
前記第１のカバーは、ヒンジ部の第１の部分であり、
前記ヒンジ部の第１の部分は、熱伝導性のある材料でつくられ、前記第１のハウジングの前記開放端に伸び、前記電子部品からの熱が前記ヒンジ部の第１の部分に伝わるように前記電子部品に隣接して配置されていて、前記第１のハウジングの前記開放端は、前記上壁と前記下壁のうちの１つの一部に沿って広がっている
（２）　判断
＜相違点２＞について
　事案に鑑みて、上記＜相違点２＞について先に検討すると、上記相違点２に係る本願発明１の「ヒンジ部の第１の部分」である「第１のカバー」による電子回路からの伝熱に係る構成は、引用文献１−３には記載されておらず、周知技術であるともいえない。
　したがって、本願発明１は、当業者であっても、引用発明、引用文献２，３に記載された技術事項に基づいて容易に発明できたものであるとはいえない。
２．請求項２について
（１）　対比
　本願発明２は、実質的に、本願発明１の「第１のカバー」による電子回路からの伝熱に係る限定に替えて、「キーボード・アセンブリー」に係る限定を付加したものである。
　また、引用発明の「キーボード２１８」（本願発明の「キーボード・アセンブリー」に対応する。）が、筐体と一体化しておらず、上壁の開口から取り外しできることは、Ｆｉｇ．７を参照すると、自明であるといえる。
　したがって、上記「１．請求項１について」と同様の対比によって、本願発明２と引用発明との一致点・相違点は次のとおりである。
＜一致点＞
　素材を一体成形した第１のハウジングであって、該第１のハウジングには、
　お互いに平行な上壁及び下壁であって、該下壁は該上壁と向き合っていることを特徴とする上壁及び下壁と、
　前記上壁と前記下壁との間に、全体的に垂直に伸びる前壁と、
　前記上壁と前記下壁との間に、全体的に垂直に伸びる少なくとも２枚の側壁と、
　が含まれ、
　前記上壁及び前記下壁と前記前壁と前記側壁とで、前記第１のハウジングの内部を画定し、前記第１のハウジングは、前記前壁の反対側に前記第１のハウジングの内部へのアクセスを可能にする開放端を画定することを特徴とする、
　第１のハウジングと、
　前記上壁、前記下壁、前記前壁、及び、１つの前記側壁のうちの少なくとも１つと隣接して、前記第１のハウジングの内部にある少なくとも１つの支持部材と、
　前記第１のハウジングの内部に収納された少なくとも１つの電子部品と、
　を具備し、
　少なくとも１つの前記支持部材は、前記第１のハウジングの内部にある少なくとも１つの電子部品が、前記前壁と連続して接するように、前記第１のハウジングの内部にある少なくとも１つの電子部品に保持力を加える役割を果たし、
　前記第１のハウジングの前記上壁には、開口が含まれ、前記電子装置には、複数のキーを有するキーボード・アセンブリーがさらに含まれ、該キーボード・アセンブリーは前記開口に取り外し可能に受け入れられる、電子装置。」　
　
＜相違点３＞ 
　本願発明２では、「前記第１のハウジングの前記開放端を覆って取り外し可能に取り付けられた第１のカバー」を具備するとともに、「少なくとも１つの前記支持部材
及び前記第１のカバー
前記第１のカバーと
の間で
＜相違点４＞
　本願発明２では、「前記第１のハウジングの前記上壁及び前記下壁には、開口が含まれ」、「前記キーボード・アセンブリーは、第１の傾斜面を画定し、前記電子装置には、第２の傾斜面を画定する第２の電子部品を含めることができ、前記第１の傾斜面及び前記第２の傾斜面は、前記キーボード・アセンブリーが前記開口内に受け入れられたとき相互に接触し、前記上壁及び前記下壁のうちの１つに向かって前記第２の電子部品を動かすように前記第２の電子部品に前記キーボード・アセンブリーが力を及ぼすよう構成されている」のに対して、引用発明では、「前記上壁及び前記下壁には」開口がなく、開口に受け入れられるキーボードが「第１の斜面」を備えておらず、さらに、キーボードの「第１の斜面」と電子部品の「第２の斜面」とを「第２の電子部品を動かすように」構成していない点。
（２）　判断
＜相違点４＞について
　事案に鑑みて、上記＜相違点４＞について先に検討すると、上記相違点４に係る本願発明２のキーボードの「第１の斜面」と電子部品の「第２の斜面」とを「第２の電子部品を動かすように」構成する点は、引用文献１−３には記載されておらず、周知技術であるともいえない。
　したがって、本願発明２は、当業者であっても、引用発明、引用文献２，３に記載された技術事項に基づいて容易に発明できたものであるとはいえない。
３．請求項３−２４について
　請求項３−２４は、本願発明１の「ヒンジ部の第１の部分」である「第１のカバー」による電子回路からの伝熱に係る構成、または、本願発明２のキーボードの「第１の斜面」と電子部品の「第２の斜面」とを「第２の電子部品を動かすように」構成する点のいずれかと同一の構成を備えているから、本願発明１または２と同じ理由により、当業者であっても、引用発明、引用文献２，３に記載された技術事項に基づいて容易に発明できたものであるとはいえない。
第７　原査定についての判断
　平成２９年１月３０日付けの補正により、補正後の請求項１−２４は、「ヒンジ部の第１の部分」である「第１のカバー」による電子回路からの伝熱に係る構成、または、キーボードの「第１の斜面」と電子部品の「第２の斜面」とを「第２の電子部品を動かすように」構成する点のいずれかと同一の技術的事項を有するものとなった。当該ヒンジ部の第１の部分」である「第１のカバー」による電子回路からの伝熱に係る構成、または、キーボードの「第１の斜面」と電子部品の「第２の斜面」とを「第２の電子部品を動かすように」構成する点は、原査定における引用文献Ａ−Ｄには記載されておらず、周知技術でもないので、本願発明１−２４は、当業者であっても、原査定における引用文献Ａ−Ｄに基づいて容易に発明できたものであるとはいえない。したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。